(57)【特許請求の範囲】
【請求項１】
加熱ローラに加圧ローラを圧接して構成され所定の高温状態を維持すべき定着装置と、半導体レーザ、該半導体レーザから照射されたレーザ光を感光体表面の主走査方向に露光させるポリゴンミラー及びｆ−θレンズを備え、これらをケースで覆った、温度上昇を制限すべきレーザ書込みユニットとを配置した電子機器において、
前記定着装置と前記レーザ書込みユニットとの間に、内部に排気用の空気流路が形成されるダクトを配置して、前記レーザ書込みユニットを前記定着装置から隔離し、前記レーザ書込みユニットは該ユニットの下面から突出した発熱源を含み、該発熱源の突出する部分を、ダクトの上面に設けられ前記発熱源の突出する部分の水平断面形状と同型で且つ当該断面形状より僅かに大きい形状の穴に通して該発熱源がダクトの内部に露出するようにし、該レーザ書込みユニットを支持する構成としたことを特徴とする電子機器の冷却装置。
【発明の詳細な説明】
【０００１】
【産業上の利用分野】
この発明は、電子写真法を用いた画像形成装置等の内部に発熱部を備えた電子機器において、内部の加熱された空気を外部に排出する電子機器の冷却装置に関する。
【０００２】
【従来の技術】
電子機器である電子写真法を用いた画像形成装置の内部においては、例えば、転写材上に転写されたトナー像を加熱定着するための定着装置や、感光体上に静電潜像を走査記録する光走査装置のモータ等の発熱源となるユニットが含まれている。
【０００３】
近年、電子機器においては、設置スペースを最小限に抑えるために小型化が図られており、結果として電子機器内部の各ユニットの配置間隔が狭くなり、隣接するユニット同士が接近した設計となっているため、電子機器内部におけるエアーの流れが悪く、発生した熱が籠もりやすくなり、電子機器全体の温度が上昇する。
【０００４】
電子機器の内部に配置されているユニットのなかには、温度上昇によって機能が損なわれるものもあり、例えば、画像形成装置において、光走査装置を構成する複数の光学部品は、互いに一定の位置関係をもって配置されているが、この光学部品の位置関係に温度変化による誤差を生じると、感光体上に書き込まれる光像に歪みが発生し、忠実な画像の再現を行うことができなくなる。
【０００５】
そこで、従来の電子機器では、例えば、特開平４−２５７８８０号公報に開示されているように、内部の発熱源のユニットにおいて発生する熱を排気して、周辺のユニットに対して熱による影響を与えないように冷却装置を配置するようにしている。
【０００６】
【発明が解決しようとする課題】
しかしながら、電子機器には、例えば、定着装置と光走査装置とを備えた画像形成装置のように、所定の高温状態を維持する必要のある高温ユニットと温度上昇を完全に防止すべき低温ユニットとの両方を備えたものがあり、このような電子機器では、高温ユニットから必要以上の熱を奪わないようにしつつ、低温ユニットに対して熱の影響が作用しないようにする必要があるが、従来の冷却装置では高温ユニットにおける高温状態の維持と、低温ユニットにおける温度上昇の防止と、を両立できるようにしたものがなく、電子機器内に配置された複数のユニットのそれぞれの機能を確実に発揮させることができない問題があった。
【０００７】
この発明の目的は、高温状態を維持すべき高温ユニットから必要以上の熱を奪わないようにしつつ、温度上昇を完全に防止すべき低温ユニットに対する熱の影響を確実に阻止することができ、複数のユニットのそれぞれの機能を確実に発揮させることができる電子機器の冷却装置を提供することにある。
【０００８】
【課題を解決するための手段】
この発明は、上記の課題を解決するための手段として、以下の構成を備えている。
【０００９】
(1) 加熱ローラに加圧ローラを圧接して構成され所定の高温状態を維持すべき定着装置と、半導体レーザ、該半導体レーザから照射されたレーザ光を感光体表面の主走査方向に露光させるポリゴンミラー及びｆ−θレンズを備え、これらをケースで覆った、温度上昇を制限すべきレーザ書込みユニットとを配置した電子機器において、
前記定着装置と前記レーザ書込みユニットとの間に、内部に排気用の空気流路が形成されるダクトを配置して、前記レーザ書込みユニットを前記定着装置から隔離し、前記レーザ書込みユニットは該ユニットの下面から突出した発熱源を含み、該発熱源の突出する部分を、ダクトの上面に設けられ前記発熱源の突出する部分の水平断面形状と同型で且つ当該断面形状より僅かに大きい形状の穴に通して該発熱源がダクトの内部に露出するようにし、該レーザ書込みユニットを支持する構成としたことを特徴とする。
【００１０】
【実施の形態】
図１は、参考例としての冷却装置を適用したディジタル複写機の構成を示す正面断面の略図である。ディジタル複写機３０はスキャナ部３１とレーザ記録部３２とによって構成されており、さらに、レーザ記録部３２は上側の画像記録部４７と下側の給紙部５０とからなる。
【００１１】
スキャナ部３１は、透明ガラス体である原稿台３５、原稿台３５上に原稿を給送する両面対応自動原稿送り装置（ＲＡＤＦ）３６、及び、原稿台３５上に載置された原稿の画像を読み取るスキャナユニット４０によって構成されている。ＲＡＤＦ３６は、原稿トレイに載置された単一又は複数枚の原稿を、選択に応じて片面又は両面が原稿台３５に対向する状態で１枚ずつ給送する。スキャナユニット４０は、原稿台３５上に載置された原稿の画像面を露光するランプ４１、ランプ４１の光の原稿画像面における反射光の光路を構成するミラー４２ａ〜４２ｃ、ランプ４１及びミラー４２ａを搭載して原稿台３５の下面を所定の速度で副走査方向に往復往動するミラーベース４０ａ、ミラー４２ｂ，４２ｃを搭載して原稿台３５の下面をミラーベース４０ａの１／２の速度で副走査方向に往復移動するミラーベース４０ｂ、原稿の画像面における反射光を受光して受光量に応じた電気信号を出力する光電変換素子（ＣＣＤ）４４、及び、原稿の画像面における反射光をＣＣＤ４４の受光面に結像するレンズ４３を備えている。
【００１２】
スキャナ部３１は、ＲＡＤＦ３６とスキャナユニット４０との関連した動作によって原稿台３５に給送された原稿の画像を主走査方向の１ライン毎に順次読み取り、画像データとして図外の画像処理部に供給する。画像処理部は、画像データに対して所定の画像処理を施した後、後述するレーザ書込ユニット４６に半導体レーザの駆動データとして出力する。
【００１３】
レーザ記録部３２の上側に位置する画像記録部４７は、レーザ書込ユニット４６、プロセスユニット４８及び定着装置４９を備えている。レーザ書込ユニット４６は、駆動データに基づくレーザ光を照射する半導体レーザ、半導体レーザから照射されたレーザ光を主走査方向に偏向するポリゴンミラー、及び、ポリゴンミラーにおける反射光を感光体ドラムの表面に対して等角速度偏向するｆ−θレンズ等を備え、画像処理部から出力された駆動データによって半導体レーザを駆動し、画像データに基づく画像光をポリゴンミラー及びｆ−θレンズを介して照射し、感光体ドラムの表面を主走査方向に露光する。
【００１４】
プロセスユニット４８は、表面に光導電層を形成した感光体ドラムの周囲に、帯電器、現像器、転写器、クリーナ及び除電器を配置して構成されている。一定速度で回転する感光体ドラムの表面は、レーザ書込ユニット４６のレーザ光による露光に先立って帯電器によって単一極性の電荷が均一に付与されており、レーザ光の露光を受けた部分の電荷が光導電作用によって選択的に除去されることにより静電潜像が形成される。この静電潜像が現像器から供給される現像剤によって現像剤画像に顕像化される。現像剤画像は、転写器によって用紙の表面に転写される。転写器との対向位置を通過した感光体ドラムの表面は、クリーナによる残留現像剤の除去、及び、除電器による残留電荷の除去を受け、帯電器による帯電工程、レーザ光による露光工程、現像器による現像工程、転写器による転写工程、並びに、クリーナ及び除電器による再生工程からなるプロセスに繰り返し使用される。
【００１５】
定着装置４９は、内部にヒータランプを備えた加熱ローラと加熱ローラに所定のニップ圧で圧接する加圧ローラとを備える。プロセスユニット４８を通過して現像剤画像が転写された用紙は、加熱ローラと加圧ローラとの間を通過する間に加熱及び加圧を受け、現像剤画像が溶融して用紙の表面に定着する。
【００１６】
給紙部５０は、内部に用紙を収納した給紙カセット５１〜５３、上面に用紙が載置される手差しトレイ５４、定着装置４９を通過した後に選択的に表裏面を反転された用紙を貯留する中間トレイ５５、及び、給紙部５０からプロセスユニット４８を経由して排紙口５７に至る間に形成された用紙搬送路３３を含む。給紙部５０は、給紙トレイ５１〜５３、手差しトレイ５４又は中間トレイ５５から給紙した用紙を感光体ドラムの回転に同期して用紙搬送路３３内に搬送する。給紙部５０は、片面複写モード時には定着装置４９を通過した用紙を排紙口５０から外部に排出し、両面複写モード時には片面画像形成済みの用紙を表裏面を反転して中間トレイ５５に搬送し、多重複写モード時には１枚の用紙を中間トレイ５５を経由して所定回数繰り返してプロセスユニット４８に搬送する。
【００１７】
ディジタル複写機３０の排紙口５７側の側面には、後処理装置３４が装着されている。後処理装置３４は、排紙口５７から排出された用紙を収納する複数の排紙トレイを備え、画像形成済みの用紙に対して穿孔処理やステープル処理を行う。
【００１８】
以上のように構成されたディジタル複写機３０において、用紙の表面に転写された現像剤画像を溶融する定着装置４９は、加熱ローラを内部に収納した発熱源であるヒータランプによって所定温度まで昇温するものであり、この発明の高温ユニットである。
【００１９】
また、レーザ書込ユニット４６から照射されたレーザ光の感光体ドラムの表面における照射位置は、現像剤画像における画像データの再現性に影響を与えるとともに、レーザ光の光路を構成する半導体レーザ、ポリゴンミラー、ｆ−θレンズ及び感光体ドラムのそれぞれの相対的な位置関係によって変化する。したがって、再現性の高い複写画像を得るためにはレーザ書込ユニット４６における半導体レーザ、ポリゴンミラー及びｆ−θレンズの取付位置が温度変化によって変動することを防止する必要がある。また、ポリゴンミラーを高速回転させるモータは、コイルにおける電気的抵抗、及び、回転部分における摩擦抵抗によって発熱る発熱源であるとともに、温度上昇によって磨耗等による劣化が促進されるため、ポリゴンミラーを安定して円滑に回転させて複写画像の再現性を良好に維持するためには、モータを冷却する必要がある。これらのことから、半導体レーザ、ポリゴンミラー、ｆ−θレンズ及びモータを備えたレーザ書込ユニット４６は、この発明の低温ユニットであり冷却対象物である。
【００２０】
図２は、ディジタル複写機の画像記録部の構成を示す外観図であり、図３は同画像記録部の左側面断面図である。ディジタル複写機３０の画像記録部４７は、角パイプ１００ａ〜１００ｋ及びダクト１０１によって構成されたフレームを備える。角パイプ１００ａ〜１００ｄはディジタル複写機３０の前面側に位置する前フレームを構成し、角パイプ１００ｅ〜１００ｈはディジタル複写機３０の背面側に位置する後フレームを構成する。角パイプ１００ｉ〜１００ｋ及びエアダクト１０１は、前板金１０５及び後板金１０６を介して前フレーム（角パイプ１００ａ〜１００ｄ）と後フレーム（角パイプ１００ｅ〜１００ｈ）とを所定の間隔を設けて平行に配置する。ダクト１０１は、角パイプ１００ｉ及び１００ｋとともに、角パイプ１００ａと角パイプ１００ｅとの間、及び、角パイプ１００ｄと角パイプ１００ｈとの間に位置し、フレーム全体を補強する。
【００２１】
レーザ書込ユニット４６、プロセスユニット４８及び定着装置４９は、前板金１０５及び後板金１０６にネジ止めされ、上記のフレーム内において所定の位置関係となるように配置されている。上述のように、画像記録部４７において、レーザ書込ユニット４６内のモータ及び定着装置４９が発熱源であり、モータを含むレーザ書込ユニット４６が冷却対象物である。また、定着装置４９は、用紙に転写された現像剤画像を溶融可能な所定の高温状態を維持すべき高温ユニットである。したがって、レーザ書込ユニット４６内のモータ及び定着装置４９から発生した熱により、レーザ書込ユニット４６に温度上昇を生じないようにする必要があるとともに、定着装置４９から必要以上の温度を奪うことのないようにする必要がある。
【００２２】
このため、熱伝導率の高い材料によって構成したダクト１０１の内部にレーザ書込ユニット４６の一部を収納し、さらに、ダクト１０１内に空気流を形成するファン１０７を備えている。この構成により、レーザ書込ユニット４６内のモータにおいて発生した熱はファン１０７が形成する空気流とともにダクト１０１の外部に排出され、レーザ書込ユニット４６内のモータにおいて発生した熱によってレーザ書込ユニット４６の温度が上昇することがない。また、レーザ書込ユニット４６は定着装置４９に直接対向することがなく、定着装置４９から発生した熱によってレーザ書込ユニット４６の温度が上昇することがない。さらに、定着装置４９には空気流が直接接触することがなく、定着装置４９の温度が外部に排出される空気によって低下することがない。
【００２３】
これによって、冷却対象物であるレーザ書込ユニット４６の温度上昇を確実に防止することができ、レーザ書込ユニット４６から照射されたレーザ光の感光体ドラム表面における照射位置に誤差を生じることがなく、再現性の高い複写画像を形成することができるとともに、定着装置４９の所定の高温状態を維持することができ、用紙に転写された現像剤画像を確実に溶融して用紙の表面に定着させることができる。
【００２４】
図４は、ディジタル複写機の他の例の画像記録部の構成を示す外観図であり、図５は同画像記録部の左側面断面図である。ディジタル複写機３０の画像記録部４７は、図２及び図３に示したダクト１０１に代えて上面が開放したコの字型断面形状を呈するカバー１１０を備えている。カバー１１０は、ダクト１０１と同様に、熱伝導率の高い材料によって形成されており、前フレーム（角パイプ１００ａ〜１００ｄ）と後フレーム（１００ｅ〜１００ｈ）とを所定の間隔に配置するとともに、フレーム全体を補強する機能を有する。
【００２５】
また、画像記録部４７の上面にスキャナユニット４０を配置すると、カバー１１０の上面がスキャナユニット４０の底面によって被覆され、スキャナユニット４０の底面とカバー１１０の内周面とによって空気流路が形成される。カバー１１０は、内部にレーザ書込ユニット４６とともにファン１０７を収納する。ファン１０７を駆動すると、スキャナユニット４０の底面とカバー１１０の内周面との間の空気流路内に空気流が形成される。
【００２６】
この構成により、レーザ書込ユニット４６内のモータにおいて発生した熱はファン１０７が形成する空気流とともにカバー１１０の外部に排出され、レーザ書込ユニット４６内のモータにおいて発生した熱によってレーザ書込ユニット４６の温度が上昇することがない。また、レーザ書込ユニット４６は定着装置４９に直接対向することがなく、定着装置４９から発生した熱によってレーザ書込ユニット４６の温度が上昇することがない。さらに、定着装置４９には空気流が直接接触することがなく、定着装置４９の温度が外部に排出される空気によって低下することがない。
【００２７】
これによって、レーザ書込ユニット４６の温度上昇を確実に防止することができ、レーザ書込ユニット４６から照射されたレーザ光の感光体ドラム表面における照射位置に誤差を生じることがなく、再現性の高い複写画像を形成することができるとともに、定着装置４９における所定の高温状態を維持することができ、用紙に転写された現像剤画像を確実に溶融して用紙の表面に定着させることができる。
【００２８】
なお、ダクト１０１、及び、カバー１１０は、アルミニウム合金のダイキャスト成形、又は、マグネシウム合金のインジェクション成形によって形成することができる。アルミニウム合金のダイキャスト成形品は熱伝導率が高いだけでなく軽量で歪みが少ない特徴があり、マグネシウム合金のインジェクション成形品はさらに強度及び加工精度が高く成形後の後加工が不要となる特徴がある。
【００２９】
したがって、ダクト１０１及びカバー１１０をアルミニウム合金のダイキャスト成形品、又は、マグネシウム合金のインジェクション成形品とすることにより、レーザ書込ユニット４６内のレーザ照射部を十分に冷却することができるとともに、画像記録部４７を構成するフレームの寸法精度を正確に維持することができ、さらに、ディジタル複写機３０の全体に十分な強度を得ることができる。
【００３０】
また、アルミニウム合金のダイキャスト成形品、又は、マグネシウム合金のインジェクション成形品であるダクト１０１やカバー１１０にレーザ書込ユニット４６を支持することにより、レーザ書込ユニット４６の取付位置の変動を防止して、複写画像の良好な再現状態を維持することができる。
【００３１】
さらに、フレームを構成する角パイプ１００ａ〜１００ｋ等のうち、定着装置４９等の発熱源に接近する一部の部材、又は、全部の部材を、熱伝導率の高い材料を素材として形成することにより、画像記録部４７の温度上昇を防止することができるとともに、熱応力によって生じる歪みを原因とするフレームの強度の低下を防止することができる。この場合にも、角パイプ１００ａ〜１００ｋ等の一部又は全部の部材をアルミニウム合金のダイキャスト成形品、又は、マグネシウム合金のインジェクション成形品とすることにより、フレーム全体をさらに堅牢にすることができる。
【００３２】
図６は、本発明の参考例である冷却装置が適用されるディジタル複写機のレーザ書込ユニットの底面方向の斜視図である。レーザ書込ユニット４６において、ポリゴンミラーを高速回転させる発熱量の大きなモータ４６ａは、レーザ書込ユニット４６の底面から露出している。このため、例えば、図７に示すように、冷却装置のダクト１０１内にレーザ書込ユニット４６を収納した場合、前述のファン１０７によってダクト１０１内に形成される空気流にモータ４６ａが直接晒されることになり、モータ４６ａが発生した熱を空気流とともにダクト１０１の外部に効率よく排出することができる。
【００３３】
この場合に、図８及び図９に示すように、ダクト１０１においてレーザ書込ユニット４６の底面から露出したモータ４６ａに対向する底面１０１ｂの一部１０１ａ又は全部のみを熱伝導率の高い材料によって構成することにより、モータ４６ａが発生した熱をダクト１０１の外部に効率よく放熱することができ、レーザ書込ユニット４６の温度上昇を防止することができる。
【００３４】
さらに、図１０に示すように、モータ４６ａの底面をダクト１０１の内側面に接触させることによって、モータ４６ａが発生した熱をダクト１０１の外部により効率的に放熱することができる。また、レーザ書込ユニット４６において少なくともレーザ光が照射される開口部４６ｂをダクト１０１の外部に位置させることにより、ダクト１０１内に形成される空気流路中に開口部４６ｂが位置しないようにし、開口部４６ｂからレーザ書込ユニット４６の内部に塵埃が侵入することや開口部４６ｂに配置されたガラス面に塵埃が付着することを防止できる。
【００３５】
なお、図７〜図１０に示したダクト１０１についての構成は、カバー１１０についても同様に実施することができる。
【００３６】
図１１は、ディジタル複写機の他の構成例を示す正面断面の略図である。この冷却装置を適用したディジタル複写機３０ａは、図１に示したディジタル複写機３０の構成においてレーザ書込ユニット４６の一部を収納するダクト１０１に代えて、レーザ書込ユニット４６と定着装置４９との間に配置されたダクト１２０を備えており、その他の構成はディジタル複写機３０と同様である。このダクト１２０の一部又は全部はダクト１０１及びカバー１１０と同様に熱伝導率の高い材料を素材として構成されており、ダクト１２０の内部にはファン１０７によって空気流が形成される。
【００３７】
この構成により、発熱源である定着装置４９と冷却対象物であるレーザ書込ユニット４６との間をダクト１２０によって遮断して定着装置４９において発生した熱がレーザ書込ユニット４６に直接伝播しないようにすることができ、レーザ書込ユニット４６の温度上昇をより確実に防止することができる。
【００３８】
この構成において、レーザ書込ユニット４６の底面からモータ４６ａが露出している場合の構成例を図１２以下に示す。このうち、本発明の実施例に相当するものは図１４である。
図１２では、レーザ書込ユニット４６の底面に露出したモータ４６ａをダクト１２０の上面に接触又は接近させている。このようにすることによって、発熱源であるモータ４６ａにおいて発生した熱をダクト１２０の上面を介して効率よく放熱することができ、冷却対象物であるレーザ書込ユニット４６内のレーザ書込部の温度上昇を防止することができる。この場合に、図１３に示すように、ダクト１２０の上面の内側面において少なくともモータ４６ａに対向する部分に空気流路中に露出する放熱フィン１２０ａを突出して形成することにより、ダクト１２０内の空気流によるモータ４６ａにおいて発生した熱の放熱効率をより高めることができる。
【００３９】
また、図１４に示すように（本発明の実施例に相当）、レーザ書込ユニット４６の底面に露出したモータ４６ａをダクト１２０内に露出させることもできる。このようにするより、発熱源であるモータ４６ａをダクト１２０内に形成される空気流に直接晒すことができ、モータ４６ａにおいて発生した熱がさらに効率的に放熱される。
【００４０】
図１５以下は、参考例である。
図１５〜図１７に示すように、ダクト１２０の上面の一部を、レーザ書込ユニット４６の底面に露出したモータ４６ａの周囲に沿う形状とすることにより、モータ４６ａの底面のみならず周面もダクト１２０の上面に接触又は接近し、発熱源であるモータ４６ａにおいて発生した熱をダクト１２０を介してより効率よく放熱することができる。このとき、ダクト１２０の上面において内部に突出する部分を構成する空気流路の少なくとも上流側に対向する面を傾斜面とすることにより、ダクト１２０内における円滑な空気流を阻害することを防止できる。
【００４１】
また、ダクト１２０内に空気流を形成するファン１０７として、空気流路中の空気流量を一定に維持するシロッコファンを用いることにより、ダクト１２０内に上面の一部が突出することによって空気流路の断面積が減少し、空気流量が減少することによる放熱効率の低下を防止できる。なお、図１６は図１５におけるＡ−Ｂ部の断面図であり、図１７は図１５におけるＣ−Ｄ部の断面図である。
【００４２】
この場合に、図１８及び図１９に示すように、ダクト１２０の上面の内側面において少なくともモータ４６ａに対向する部分に空気流路中に露出する放熱フィン１２０ａを突出して形成することにより、ダクト１２０内の空気流によるモータ４６ａにおいて発生した熱の放熱効率をより高めることができる。なお、図１８は図１５におけるＡ−Ｂ部の断面図であり、図１９は図１５におけるＣ−Ｄ部の断面図である。
【００４３】
図２０は、冷却装置の他の参考例を示す断面図である。この冷却装置では、レーザ書込ユニット４６と定着装置４９との間にダクト１２０を配置した上記冷却装置の構成において、ダクト１２０と定着装置４６との間に保温部材１３０を配置している。この保温部材１３０は、例えば、熱伝導率の低い樹脂を発泡成形した中空体であり、中空部を空気層又は真空層としている。また、保温部材１３０の一部又は全部を断熱材料によって構成することもできる。
【００４４】
この構成により、冷却対象物であるレーザ書込ユニット４６の温度上昇をダクト１２０を介して効率的に防止することができるとともに、発熱源であって、かつ、用紙上の現像剤画像を溶融するために所定の高温状態を維持すべき保温ユニットでもある定着装置４９の熱が、内部に空気流路が形成される一部又は全部が熱伝導率の高い材料によって構成されたダクト１２０によって奪われることを防止することができる。
【００４５】
図２１は、冷却装置の他の参考例を示す断面図である。この冷却装置では、レーザ書込ユニット４６と定着装置４９との間に配置されるダクト１２０の垂直面の内側に空気流路に露出する放熱フィン１２０ｂを形成している。この構成により、発熱源である定着装置４９に対向するダクト１２０の下面の熱が放熱フィン１２０ｂを介して空気流路に効率よく放熱され、定着装置４９において発生した熱が、ダクト１２０を介して冷却対象物であるレーザ書込ユニット４６に伝播し、レーザ書込ユニット４６の温度上昇を防止することができる。
【００４６】
この効果は、ダクト１２０において発熱源かつ高温ユニットである定着装置４９に対向する下面を熱伝導率の低い材料によって構成し、ダクト１２０において冷却対象物であるレーザ書込ユニット４６に対向する上面を熱伝導率の高い材料によって構成することによっても得ることができる。
【００４７】
なお、上記第１〜第５の実施形態においては、この発明の冷却装置が適用される電子機器としてディジタル複写機を例にあげて説明したが、高温ユニット及び低温ユニットを備えた他の電子機器においてもこの発明を同様に実施することができる。
【００４８】
【発明の効果】
この発明によれば、所定の高温状態を維持すべき高温ユニットと温度上昇を制限すべき低温ユニットとを、内部に排気用の空気流路が形成されるダクトの一部又は全部によって隔離、且つ、少なくとも低温ユニットの発熱源をダクト内に形成された空気流路を通過する排気空気に接触させることより、高温ユニットの低温ユニット側に生じた熱をダクト内の空気流路を通過する空気に吸収させて排出して低温ユニットに伝導しないようにすることができ、低温ユニットの温度上昇を防止することができるとともに、高温ユニットが排気空気に直接接触しないようにして高温ユニットの熱が排気空気によって奪われることがないようにすることができ、高温ユニットの温度低下を防止することができる。さらに、低温ユニットの発熱源において発生した熱を排気空気に吸収させて排出することができ、低温ユニットの温度上昇を防止することができる。
【図面の簡単な説明】
【図１】参考例としての冷却装置を適用したディジタル複写機の構成を示す正面断面の略図である。
【図２】ディジタル複写機の画像記録部の構成を示す外観図である。
【図３】同画像記録部の左側面断面図である。
【図４】ディジタル複写機の他の例の画像記録部の構成を示す外観図である。
【図５】同画像記録部の左側面断面図である。
【図６】上記冷却装置が適用されるディジタル複写機のレーザ書込ユニットの底面方向の斜視図である。
【図７】ダクト内にレーザ書込ユニットを収納した状態を示す底面方向の斜視図である。
【図８】上記冷却装置のダクトの別の例を示す底面方向の斜視図である。
【図９】上記冷却装置のダクトのさらに別の例を示す底面方向の斜視図である。
【図１０】上記冷却装置のダクトにおける空気流路を示す図である。
【図１１】ディジタル複写機の他の構成例を示す正面断面の略図である。
【図１２】参考例としての冷却装置の配置状態を示す要部の正面断面である。
【図１３】上記冷却装置のレーザ書込ユニットとダクトとの配置状態を示す図である。
【図１４】この発明の実施形態に係る冷却装置の配置状態を示す要部の正面断面である。
【図１５】冷却装置のさらに別の参考例の配置状態を示す外観図である。
【図１６】同配置状態を示す側面断面図である。
【図１７】同配置状態を示す正面断面図である。
【図１８】冷却装置の他の参考例を構成する別のダクトの形状を示す側面断面図である。
【図１９】同ダクトの形状を示す正面断面図である。
【図２０】冷却装置のさらに他の参考例を示す断面図である。
【図２１】冷却装置のさらに他の参考例を示す断面図である。
【符号の説明】
３０−ディジタル複写機（電子機器）
３１−スキャナ部
３２−レーザ記録部
４６−レーザ書込ユニット（低温ユニット）
４６ａ−モータ（発熱源）
４７−画像記録部
４８−プロセスユニット
４９−定着装置（高温ユニット）
１０１，１１０，１２０−ダクト
【図１】
0003597410.tif 000002
【図２】
0003597410.tif 000003
【図３】
0003597410.tif 000004
【図４】
0003597410.tif 000005
【図５】
0003597410.tif 000006
【図６】
0003597410.tif 000007
【図７】
0003597410.tif 000008
【図８】
0003597410.tif 000009
【図９】
0003597410.tif 000010
【図１０】
0003597410.tif 000011
【図１１】
0003597410.tif 000012
【図１２】
0003597410.tif 000013
【図１３】
0003597410.tif 000014
【図１４】
0003597410.tif 000015
【図１５】
0003597410.tif 000016
【図１６】
0003597410.tif 000017
【図１７】
0003597410.tif 000018
【図１８】
0003597410.tif 000019
【図１９】
0003597410.tif 000020
【図２０】
0003597410.tif 000021
【図２１】
0003597410.tif 000022